(57)【特許請求の範囲】
【請求項１】
庫内を開閉する内扉と、外扉の商品取出口との間に前後に回動可能に軸支した盗難防止用プレートを備える自動販売機において、前記盗難防止用プレートの軸部の両端部を支持する軸受け部を厚板小ピースにて形成した軸受部材を備え、前記盗難防止用プレートに前記軸部の両端部を前記軸受部材の軸穴に挿入して前後に回動できるように切り欠き部を設け、前記軸受部材は前記盗難防止用プレートの回転範囲に干渉する外形形状を前記軸穴に沿って円形状にすると共に、前記盗難防止用プレートの前記軸受部材が挿入される前記切り欠き部における前記軸受部材の円形状の外形形状を逃げるべく寸法を、指が入らない寸法にしたことを特徴とする自動販売機。
【請求項２】
軸受部材は盗難防止用プレート上部の天板を切欠いて取り付けられ、前記盗難防止用プレートの軸左右共、同一部品に取り付けられることを特徴とする請求項１に記載の自動販売機。
【発明の詳細な説明】
【技術分野】
【０００１】
本発明は缶入り飲料などの商品を販売する自動販売機に関するものである。
【背景技術】
【０００２】
近年、缶入り飲料などの商品を販売する自動販売機は、商品取出口に盗難防止プレートを設けて飲料商品の盗難防止を図ってきた。
【０００３】
まず、図４は一般に缶入り飲料などの商品を販売する自動販売機の構成図である。図４において、自動販売機の本体１の前面に設けられた外扉２と、外扉２の下部に設けた商品取出口３と、内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の中に転がり落ち受容される。そして、自動販売機利用客は商品取出口３の前面に配した取出口扉８を開いて内部に手を差し入れ、盗難防止用プレート９を押しのけて、商品を掴んで取出すことができる。
【０００６】
次に図５は、従来の自動販売機の構成図である。以下、図面を参照しながら上記従来の自動販売機を説明する。図５に示すように従来の自動販売機は、商品取出口３の底板３ａに樹脂製底部シート１０と、前面板３ｂに勘合する断面逆Ｕ字状をなす硬質樹脂製の搬出緩衝材１１と、商品取出口３内部には開閉角度により、庫外から手や棒を庫内に入るのを防ぐための盗難防止用プレート９と、盗難防止用プレート９を前後に回動可能にするための軸部９ａから構成されている。
【０００７】
以上のように構成された自動販売機について、以下その動作を説明する。
【０００８】
まず、内扉４に設けられた搬出扉７を押し開けて商品取出口３の中に転がり落ちた商品は、搬出緩衝材１１に当たり、底部シート１０に落下し、商品取出口３に受容される。そして、自動販売機利用客は商品取出口３の前面に配した取出口扉８を開いて内部に手を差し入れ、軸部により回動可能な盗難防止用プレート９を押しのけて、商品を掴んで取出すことができる。
【発明の開示】
【発明が解決しようとする課題】
【０００９】
しかしながら、上記従来の構成は、盗難防止用プレート９を回動可能にするための軸部を支持する側壁板１２の軸受け部１２ａが、外部からの外力に対し、機械強度が弱く、軸受け部１２ａが変形され、盗難防止用プレート９が外れる可能性があるという課題を有していた。
【００１０】
本発明は従来の課題を解決するもので、盗難防止用プレートを支持する厚板小ピースにて形成した軸受部材を備えることで容易に盗難防止用プレートが外れないようにすることができる自動販売機を提供することを目的とする。
【課題を解決するための手段】
【００１１】
上記従来の課題を解決するために、本発明の自動販売機は、盗難防止用プレートの軸部の両端部を支持する軸受け部を厚板小ピースにて形成した軸受部材を備え、前記盗難防止用プレートに前記軸部の両端部を前記軸受部材の軸穴に挿入して前後に回動できるように切り欠き部を設け、前記軸受部材は前記盗難防止用プレートの回転範囲に干渉する外形形状を前記軸穴に沿って円形状にすると共に、前記盗難防止用プレートの前記軸受部材が挿入される前記切り欠き部における前記軸受部材の円形状の外形形状を逃げるべく寸法を、指が入らない寸法にしたのである。
【００１２】
これによって、前記軸受け部の強度が向上し、前記盗難防止用プレートが容易に外れなくすることができる。
【００１４】
また、前記盗難防止用プレートの前記軸受部材が挿入される切り欠き部における前記軸受部材の円形状の外形形状を逃げるべく寸法を、指が入らない寸法にしたことで、安全性を高くすることができる。
【００１５】
また、本発明の自動販売機は、前記発明をさらに、前記軸受部材を前記盗難防止用プレート上部の天板を切欠いて取り付けられ、前記盗難防止用プレートの軸左右共、同一部品に取り付けられた自動販売機を提供するものである。
【００１６】
これによって、軸左右の位置が同心軸となり、限られた空間内にて前記盗難防止用プレートが他部品を干渉することなく回転することができ、搬出性を向上することができる。
【発明の効果】
【００１７】
本発明の自動販売機は、盗難防止用プレートを支持する軸受け部を厚板小ピースにて形成した軸受部材を備えることで、外部からの外力によって簡単に盗難防止プレートが外れなくすることができる。また、前記盗難防止用プレートの前記軸受部材が挿入される切り欠き部における前記軸受部材の円形状の外形形状を逃げるべく寸法を、指が入らない寸法にしたことで、安全性を高くすることができる。
【００１９】
また、本発明の自動販売機は、前記発明をさらに、前記軸受部材は前記盗難防止用プレート上部の天板を切欠いて取り付けられ、前記盗難防止用プレートの軸左右共、同一部品に取り付けることにより、前記盗難防止用プレート軸左右の位置が同心軸となり、限られた空間内にて前記盗難防止用プレートが他部品を干渉することなく回転することができ、搬出性を向上することができる。
【発明を実施するための最良の形態】
【００２０】
請求項１に記載の発明は、庫内を開閉する内扉と、外扉の商品取出口との間に前後に回動可能に軸支した盗難防止用プレートを備える自動販売機において、前記盗難防止用プレートの軸部の両端部を支持する軸受け部を厚板小ピースにて形成した軸受部材を備え、前記盗難防止用プレートに前記軸部の両端部を前記軸受部材の軸穴に挿入して前後に回動できるように切り欠き部を設け、前記軸受部材は前記盗難防止用プレートの回転範囲に干渉する外形形状を前記軸穴に沿って円形状にすると共に、前記盗難防止用プレートの前記軸受部材が挿入される前記切り欠き部における前記軸受部材の円形状の外形形状を逃げるべく寸法を、指が入らない寸法にしたものであり、外部からの外力に対し、強度が向上することで、簡単に盗難防止プレートが外れなくすることができる。
【００２１】
また、前記盗難防止用プレートの前記軸受部材が挿入される切り欠き部における前記軸受部材の円形状の外形形状を逃げるべく寸法を、指が入らない寸法にしたことで、安全性を高くすることができる。
【００２２】
請求項３に記載の発明は、請求項１又は２に記載の発明で、さらに前記軸受部材は前記盗難防止用プレート上部の天板を切欠いて取り付けられ、前記盗難防止用プレートの軸左右共、同一部品に取り付けることにより、前記盗難防止用プレート軸左右の位置が同心軸となり、限られた空間内にて前記盗難防止用プレートが他部品を干渉することなく回転することができ、搬出性を向上することができる。
【００２３】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２４】
（実施の形態１）
図１は、本発明の実施の形態１における自動販売機の構成図である。図１に示すように、自動販売機は基本的に図４に示した従来構造と同様であるが、盗難防止用プレート９の軸部９ａの軸受部に軸受部材１２ｂが備えられ、軸受部材１２ｂは厚板小ピースにて形成され、盗難防止用プレート９の回転範囲に干渉する外形形状が軸穴に沿って円形状であり、盗難防止用プレート９の軸左右共、同一部品に取り付けられている。尚、軸部断面形状は略円形状に限るものではない。
【００２５】
以上のように構成された自動販売機の商品取出口装置について、以下にその動作を説明する。
【００２６】
まず、商品販売指令により商品収容ラック５から搬出した商品は搬出シュート６に落下し、搬出シュート６の傾斜を商品の自重で滑り落ち、内扉４に設けられた搬出扉７を押し開けて商品取出口３の中に転がり落ちた商品は、搬出緩衝材１１に当たり、底部シート１０に落下し受容される。そして、自動販売機利用客は商品取出口３の前面に配した取出口扉８を開いて内部に手を差し入れ、盗難防止用プレート９の上部の軸部９ａにより、回動可能な盗難防止用プレート９を押しのけて、商品を掴んで取出すことができる。また、中身飲料商品盗難のため、盗難防止用プレート９の軸受部材１２ｂを破壊しようとしても、厚板で形成されていることにより、盗難防止用プレート９が容易に外れなくすることができる。
【００２７】
図２（ａ）（ｂ）は、本実施の形態における自動販売機の盗難防止用プレートの軸受部材の部品詳細図である。
【００２８】
本実施の形態は、自動販売機に、さらに、盗難防止用プレート９の回転範囲に干渉する軸受部材１２ｂの外形形状を軸穴に沿って円形状にすることで、盗難防止用プレート９の軸受部材１２ｂが挿入される切り欠き部９ｂが、軸受部材１２ｂの外形形状を逃げるべく寸法が低減でき、指や爪が入らないことにより、安全性を高くすることができる。
【００２９】
図３は、本実施の形態における自動販売機の盗難防止用プレートの軸受部材の取り付け詳細図である。本実施の形態は、自動販売機の軸受部材１２ｂは盗難防止用プレート９上部の天板１３を切欠いて取り付けられ、盗難防止用プレート９の軸９ａ左右共、同一部品である天板１３に取り付けることにより、盗難防止用プレート９の軸９ａ左右の位置が同心軸となり、限られた空間内にて盗難防止用プレート９が他部品を干渉することなく回転することができ、搬出性を向上することができる。
【００３０】
以上のように構成された自動販売機について、以下にその動作を説明する。
【００３１】
まず、自動販売機利用客が、中身飲料商品盗難のため、盗難防止用プレート９の軸受部材１２ｂを破壊しようとしても、厚板小ピースで形成されていることにより、破壊できず、盗難防止用プレート９が容易に外れなくすることができる。
【産業上の利用可能性】
【００３２】
以上のように、本発明にかかる自動販売機は、軸受部材を備えることにより、防盗性を向上することができるので、缶入り飲料などの商品を販売する自動販売機以外にも、たばこや切符の自動販売機の商品取出口装置等の用途にも適用できる。
【図面の簡単な説明】
【００３３】
【図１】本発明の実施の形態１による自動販売機の構成図
【図２】（ａ）本発明の実施の形態１による自動販売機の盗難防止用プレートの軸受部材の部品詳細図（ｂ）本発明の実施の形態１による自動販売機の盗難防止用プレートの軸受部材の部品詳細図
【図３】本発明の実施の形態１による自動販売機の盗難防止用プレートの軸受部材の取り付け詳細図
【図４】従来の自動販売機の構成図
【図５】従来の自動販売機の構成図
【符号の説明】
【００３４】
１    本体
２    外扉
３    商品取出口
４    内扉
７    搬出扉
９    盗難防止用プレート
９ａ  軸部
１２ｂ  軸受部材
１３  天板
【図１】
0005380894.tif 000002
【図２】
0005380894.tif 000003
【図３】
0005380894.tif 000004
【図４】
0005380894.tif 000005
【図５】
0005380894.tif 000006